(57)【特許請求の範囲】
【請求項１】
平行に設けられた２つの折り部により同一面側に３つに折り畳むための３紙片部として、第１紙片部と、第２紙片部と、第３紙片部と、が順次設けられた印刷物であって、
前記３紙片部のうち、第１紙片部または第３紙片部のいずれかの紙片部内の所定領域部の外形部分に沿って、切り込み部とミシン線部とを有し、
前記ミシン線部は、前記折り部と平行に設けられ、
前記第１紙片部と前記第３紙片部の前記同一面側には、前記所定領域部を除いた所定の領域部分に、剥離可能な接着剤層が設けられていることを特徴とする印刷物。
【請求項２】
前記所定領域部を有する前記第１紙片部は、前記２紙片部の横幅の寸法よりも短い寸法で形成され、前記第３紙片部の横幅の寸法は、前記第１紙片部を前記折り部から前記２紙片部上に折り畳んだ後に、前記第３紙片部を前記折り部から折り畳んだ際に、前記第１紙片部の前記所定領域部の一部分が重ならない寸法として形成されていることを特徴とする請求項１記載の印刷物。
【請求項３】
前記剥離可能な接着剤層が、前記第３紙片部の前記折り部側を除く３周縁部において、前記所定領域部を除いた部分に設けられていることを特徴とする請求項２記載の印刷物。
【請求項４】
前記所定領域部を有する前記第３紙片部は、前記２紙片部の横幅の寸法と略同一寸法、又は前記２紙片部の横幅の寸法よりも短い寸法で形成され、前記第１紙片部の横幅の寸法は、前記第３紙片部の幅寸法よりも短い寸法で形成され、前記第１紙片部の横幅の寸法は、前記第３紙片部を前記折り部から前記２紙片部上に折り畳んだ後に、前記第１紙片部を前記折り部から折り畳んだ際に、前記第３紙片部の前記所定領域部の一部分が重ならない寸法として形成されていることを特徴とする請求項１記載の印刷物。
【請求項５】
前記剥離可能な接着剤層が、前記第１紙片部の前記折り部側を除く３周縁部において、前記所定領域部を除いた部分に設けられていることを特徴とする請求項４記載の印刷物。
【請求項６】
前記３紙片部のうち、前記所定領域部を有していない２紙片部の横幅寸法が略同一であることを特徴とする請求項１記載の印刷物。
【請求項７】
前記所定領域部を有している紙片部の前記所定領域部上に用紙が重ね合わされ接着され、前記用紙には、前記切り込み部と重なる位置に切り込み部が設けられ、更に前記ミシン線部と重なる位置にミシン線部が設けられていることを特徴とする請求項１記載の印刷物。
【請求項８】
前記所定領域部が、葉書、カード、クーポン券、チケット、のいずれかであることを特徴とする請求項１記載の印刷物。
【発明の詳細な説明】
【技術分野】
【０００１】
本発明は、用紙を折り畳んだ状態で使用する印刷物であって、特に印刷用紙の一部分を分離させて葉書、カード、クーポン券、チケット、などの用途に用いることができるようにした印刷物に関する。
【０００２】
従来、例えば広告用印刷物などにおいて、その印刷用紙の一部分に葉書部を設けておき、顧客がその広告内容に興味を持つなどした場合には、その葉書部を切り取ったりして、葉書を用いて申し込みを行なえるようにしたものが知られている。
【０００３】
このような葉書部を有する印刷物としては、印刷用紙の一部分を葉書部として、この葉書部の周囲に切り取り線や切り取りミシン目を形成させておく構成のもの（例えば、特許文献１、参照）や、印刷用紙の一部分を葉書部としておき、その葉書部の周囲に切り込みを形成させておくと共に、葉書部の裏面側と、葉書部の下側に重ね合わせた用紙の表面側と、を剥離可能に接着させた構成のもの（例えば、特許文献２，３、参照）などが既に高知となっている。
【０００４】
しかしながら、上記した従来の印刷物には、種々の問題がある。
まず、葉書部の周囲に切り取り線や切り取りミシン目を形成させておく構成のものは、用紙から葉書部をハサミで切り取るという手間がかかり、面倒であり、また、切り取りミシン目から葉書部を切り取った場合には、葉書部の周囲に切り取った跡がギザギザな状態で残って体裁が悪いなどの問題がある。
【０００５】
また、葉書部の周囲に切り込みを形成させ、葉書部の裏面側で、その下側に重ねられている用紙上面と剥離可能な接着剤で仮接着させる構成のものでは、葉書部の裏面に剥離可能な接着剤が付着された状態のままで、葉書として郵送される場合もあり、郵送処理の際に他の葉書が付着して、機械的な処理の際でも支障が生じたり、また他の葉書が密着した状態で配達された場合には、葉書が正確な宛先に配達されないという危険性もあり問題である。
【先行技術文献】
【特許文献】
【０００６】
【特許文献１】実用新案登録第３０９６９１０号公報
【特許文献２】特開２００５−２３８５０３号公報
【特許文献３】特開２００６−２９７６８７号公報
【発明の概要】
【発明が解決しようとする課題】
【０００７】
そこで、本発明は、印刷用紙の一部分を分離させて葉書やカードなどの用途に用いることができるようにした印刷物において、分離させるための部分を取り出す際にも手間をかけることなく簡単に取り出すことができ、更に、分離させるための部分を葉書として郵送処理される場合でも他の葉書が裏面に付着したりして、郵送処理に支障が生じないように構成した印刷物を提供する。
【課題を解決するための手段】
【０００８】
本発明の印刷物は、平行に設けられた２つの折り部により同一面側に３つに折り畳むための３紙片部として、第１紙片部と、第２紙片部と、第３紙片部と、が順次設けられた印刷物であって、前記３紙片部のうち、第１紙片部または第３紙片部のいずれかの紙片部内の所定領域部の外形部分に沿って、切り込み部とミシン線部とを有し、前記ミシン線部は、前記折り部と平行に設けられ、前記第１紙片部と前記第３紙片部の前記同一面側には、前記所定領域部を除いた所定の領域部分に、剥離可能な接着剤層が設けられていることを特徴とする。
【０００９】
また、本発明の印刷物は、前記所定領域部を有する前記第１紙片部は、前記２紙片部の横幅の寸法よりも短い寸法で形成され、前記第３紙片部の横幅の寸法は、前記第１紙片部を前記折り部から前記２紙片部上に折り畳んだ後に、前記第３紙片部を前記折り部から折り畳んだ際に、前記第１紙片部の前記所定領域部の一部分が重ならない寸法として形成されていることを特徴とする。
【００１０】
更に、本発明の印刷物は、前記剥離可能な接着剤層が、前記第３紙片部の前記折り部側を除く３周縁部において、前記所定領域部を除いた部分に設けられていることを特徴とする。
【００１１】
また、本発明の印刷物は、前記所定領域部を有する前記第３紙片部は、前記２紙片部の横幅の寸法と略同一寸法、又は前記２紙片部の横幅の寸法よりも短い寸法で形成され、前記第１紙片部の横幅の寸法は、前記第３紙片部の幅寸法よりも短い寸法で形成され、前記第１紙片部の横幅の寸法は、前記第３紙片部を前記折り部から前記２紙片部上に折り畳んだ後に、前記第１紙片部を前記折り部から折り畳んだ際に、前記第３紙片部の前記所定領域部の一部分が重ならない寸法として形成されていることを特徴とする。
【００１２】
更に、本発明の印刷物は、前記剥離可能な接着剤層が、前記第１紙片部の前記折り部側を除く３周縁部において、前記所定領域部を除いた部分に設けられていることを特徴とする。
【００１３】
また、本発明の印刷物は、前記３紙片部のうち、前記所定領域部を有していない２紙片部の横幅寸法が略同一であることを特徴とする。
【００１４】
更に、本発明の印刷物は、前記所定領域部を有している紙片部の前記所定領域部上に用紙が重ね合わされ接着され、前記用紙には、前記切り込み部と重なる位置に切り込み部が設けられ、更に前記ミシン線部と重なる位置にミシン線部が設けられていることを特徴とする。
【００１５】
また、本発明の印刷物は、前記所定領域部が、葉書、カード、クーポン券、チケット、のいずれかであることを特徴とする。
【発明の効果】
【００１６】
したがって、本発明の印刷物は、用紙の中から切り取り分離させるための所定領域部について、裏面側に一切接着剤を塗布させていないので、分離させるための部分を取り出す際にも手間をかけることなく簡単に取り出すことができ、更に、その分離させるための部分の裏面側には、接着剤を一切使用しないので、接着剤のベタツキやインキ等の製品の汚れなどの問題を解消することができるという効果がある。
【００１７】
また、本発明の印刷物は、切り込み部とミシン線部とで囲まれている部分を葉書サイズの大きさとして、分離させるための部分を葉書として使用する場合でも、郵送処理の際に他の葉書が裏面に付着したりして、郵送処理に支障が生じたり、接着剤のベタツキやインキ等の製品の汚れなどの問題を解消することができるという効果がある。
【図面の簡単な説明】
【００１８】
【図１】本発明の実施形態の印刷物の平面図である。
【図２】図１のＡ−Ａ線断面図である。
【図３】本発明の実施形態の印刷物を、２つの折り部から３つに折り畳んだ状態の平面図である。
【図４】図３のＢ−Ｂ線断面図である。
【図５】本発明の実施形態の印刷物において、第１紙片部内の所定領域部を折り曲げた状態を示す平面図である。
【図６】図５のＣ−Ｃ線断面図である。
【図７】本発明の実施形態の印刷物において、第１紙片部内の所定領域部を切り取った状態を示す断面図である。
【図８】本発明の実施形態の印刷物において、第２紙片部と第３紙片部とを同一の横幅寸法とした場合に、２つの折り部から３つに折り畳んだ状態の断面図である。
【図９】本発明の実施形態の印刷物において、第１紙片部内の所定領域部上に用紙を重ねて接着された状態を示す平面図である。
【図１０】本発明の他の実施形態の印刷物の平面図である。
【図１１】本発明の他の実施形態の印刷物を、２つの折り部から３つに折り畳んだ状態の平面図である。
【図１２】本発明の実施形態の印刷物において、第１紙片部内の所定領域上に用紙を折り畳んで重ねて接着された状態を示す断面図である。
【発明を実施するための形態】
【００１９】
以下、本発明の実施形態に係る印刷物を図面に基づいて詳細に説明する。
まず、本発明の実施形態に係る印刷物１を、図面に基づいて以下に説明する。
図１に示すように、実施形態に係る印刷物１は、縦方向に平行に設けられた２つの折り部３ａ，３ｂにより、同一面側に対して３つに折り畳むための３紙片部として、第１紙片部２ａと、第２紙片部２ｂと、第３紙片部２ｃと、が順に設けられている印刷用紙２からなる。
そして、それらの３紙片部のうち、左側の一端側に位置する第１紙片部２ａは、横幅の寸法がその他の２紙片部である第２紙片部２ｂや第３紙片部２ｃの横幅寸法よりも短い寸法で形成されている。
【００２０】
また、第１紙片部２ａは、該第１紙片部２ａ内において、所定領域部４の外形部分に沿って形成された切り込み部５と、更に前記所定領域部４の外形部分に沿って、前記折り部３ａと平行に形成されたミシン線部６と、を有していて、その所定領域部４を他の部分から分離できるように構成されている。
第１紙片部２ａの上面には、前記所定領域部４を除いた所定の領域部分に、剥離可能な接着剤層７が設けられており、前記３紙片部２ｃの上面の所定部分には、剥離可能な接着剤層８が設けられている。
図１に示す例では、剥離可能な接着剤層７は、前記第１紙片部２ａの折り部３ａ側を除く３周縁部に設けられている。
【００２１】
上記の所定領域部４のサイズ、つまり、前記切り込み部５と前記ミシン線６部とで囲まれている部分のサイズは、葉書サイズの大きさを有している。
この所定領域部４のサイズは、使用用途に応じて任意に変更することができる。
この実施形態の説明では、印刷物１内に葉書を設けることを前提として記載してあるが、この所定領域部４を葉書以外の用途、例えば、カード、クーポン券、チケット、など様々な用途として用いることもできる。
【００２２】
また、横方向に並んでいる３紙片部２ａ，２ｂ，２ｃのうち、右側の一端側に位置する第３紙片部２ｃの横幅の寸法は、左側に位置している前記第１紙片部２ａの横幅の寸法よりも長く形成されていると共に、前記第２紙片部２ｂの横幅の寸法よりも短い寸法で形成されている。
また、上記の寸法は、印刷用紙２において、折り部３ａから第１紙片部２ａを第２紙片部２ｂ上に重ねた後に、前記折り部３ｂから第３紙片部２ｃを前記第１紙片部２ａ上及び前記第２紙片部２ｂ上に重ねた場合に、前記第１紙片２ａ部内の所定領域部４の一部分が、前記第３紙片部２ｃと重ならない寸法を有している。
右側に位置している前記第３紙片部２ｃには、第３紙片部２ｃの折り部３ｂ側を除く３周縁部に剥離可能な接着剤層８が設けられているが、この剥離可能な接着剤層８は、第３紙片部２ｃを第１紙片部２ａの上に折り畳んで重ねた場合に、所定領域部４と重なる部分には設けないようにしてある。
これは、剥離可能な接着剤層８が所定領域部４の上面に付着しないようにするためである。
【００２３】
そして、印刷物１を顧客などに配布する場合には、図３及び図４に示すように、折り部３ａから第１紙片部２ａを第２紙片部２ｂ上に重ねて、剥離可能な接着剤層７により第１紙片部２ａの三周縁部を第２紙片部２ｂに接着させ、更に、折り部３ｂから第３紙片部２ｃを第２紙片部２ｂ上に重ねて、剥離可能な接着剤層８により第３紙片部２ｃの三周縁部を第２紙片部２ｂに接着させることで、３つ折り状態の封書を作成する。
この印刷物１が３つ折り状態の封書となった状態では、第３紙片部２ｃの横幅の寸法が、第１紙片部２ａの横幅の寸法よりも長く形成され、更に第２紙片部２ｂの横幅の寸法よりも短い寸法で形成されているので、葉書部となる所定領域部４の一部が表面側から目視できる状態となっている。
これにより、３つ折りの封書状態となった印刷物１を受け取った顧客などが、直ぐに所定領域部４の葉書部の存在に気がつくことができるように構成されている。
【００２４】
また、３つ折りの封書状態となった印刷物１を受け取った顧客などが開封する場合には、第３紙片部２ｃの角部などを摘んでめくり上げることで、剥離可能な接着剤層８の接着が剥離して開き、更に、第１紙片部２ａを剥離させることで、図５及び図６に示すように葉書部となる所定領域部４をミシン線部６から切り離せる状態となり、図７に示すように、葉書部となる所定領域部４を分離させて葉書として使用できる。
【００２５】
また、３つ折りの封書状態となった印刷物１について、葉書部となる所定領域部４を外部から見ることができないようにすることもできる。
この場合は、図８に示すように、３紙片部２ａ，２ｂ，２ｃのうち、第２紙片部２ｂと第３紙片部２ｃの横幅寸法を略同一の寸法となるように折り部３ｂの位置を設ければよい。
第２紙片部２ｂと第３紙片部２ｃの横幅寸法をどのように設定するのかについては、印刷物１の使用目的などに応じて任意に定めることができる。
【００２６】
また、印刷用紙２の厚みが葉書として使用するのには薄すぎる場合には、図９に示すように、第１紙片部２ａの上側に用紙９を重ね合わせて、その裏面を接着剤１０で接着させることで葉書に適した厚みを確保することができる。
この場合には、重ね合わせる用紙９にも、切り込み部５とミシン線６部とに重なる位置に、同様の切り込み部１１とミシン線１２部とを設ける。
上記したように、本発明の印刷物１は、切り取り分離させるための所定領域部について接着剤が塗布されていないので、分離させるための部分を取り出す際にも手間をかけることなく簡単に取り出すことができる。
【００２７】
また、印刷用紙２の厚みが葉書として使用するのには薄すぎる場合には、図１２に示すように、印刷用紙２の左方向の寸法を第１紙片部２ａの横幅寸法の略２倍に設けて、その部分を折り畳んで、その裏面を接着剤１０で接着させることで葉書に適した厚みを確保することもできる。
【００２８】
図１０及び図１１には、本発明の他の実施形態に係る印刷物１１が示されている。
他の実施形態に係る印刷物１１では、第３紙片部２ｃの紙片部内の所定領域部１２の外形部分に沿って、切り込み部１３とミシン線部１４と設けたものである。
ここでは、所定領域部１２がクーポン券として設けられており、所定領域部１２には、切り取りミシン目１５が平行に複数形成されている。
【００２９】
印刷物１１は、図１１に示すように、折り部３ｂから第３紙片部２ｃを第２紙片部２ｂ上に重ね合わせ、その後に、第１紙片部２ａを折り部３ａから重ね合わせることで、折り畳まれた印刷物１１において、外側から所定領域部１２のクーポン券が目視できる状態となるように構成されている。
【００３０】
上記のように、本発明の印刷物は、平行に設けられた２つの折り部により同一面側に３つに折り畳むための３紙片部として、第１紙片部と、第２紙片部と、第３紙片部と、が順次設けられた印刷物で、前記３紙片部のうち、第１紙片部または第３紙片部のいずれかの紙片部内の所定領域部の外形部分に沿って、切り込み部とミシン線部とを有し、前記ミシン線部は、前記折り部と平行に設けられ、前記第１紙片部と前記第３紙片部の前記同一面側には、前記所定領域部を除いた所定の領域部分に、剥離可能な接着剤層が設けられている。
【符号の説明】
【００３１】
１，１１  印刷物
２ａ  第１紙片部
２ｂ  第２紙片部
２ｃ  第３紙片部
３ａ  折り部
４，１２  所定領域部
５，１１，１３  切り込み部
６，１２，１４  ミシン線部
７，８  剥離可能な接着剤層
９  用紙
【図１】
0005413091.tif 000002
【図２】
0005413091.tif 000003
【図３】
0005413091.tif 000004
【図４】
0005413091.tif 000005
【図５】
0005413091.tif 000006
【図６】
0005413091.tif 000007
【図７】
0005413091.tif 000008
【図８】
0005413091.tif 000009
【図９】
0005413091.tif 000010
【図１０】
0005413091.tif 000011
【図１１】
0005413091.tif 000012
【図１２】
0005413091.tif 000013